(57)【要約】【課題】この発明は、圧着端子の挿入孔に被覆電線の挿入を容易に行えることで作業効率の向上や、圧着端子の圧着部と被覆電線の導体露出部とを確実に圧着できることで止水性、及び導通性の向上を図ることができる圧着端子、接続構造体、コネクタ、及び接続構造体の製造方法を提供することを目的とする。【解決手段】導体２２２を絶縁被覆２１０で被覆した被覆電線２００における先端側Ｘａの絶縁被覆２１０を所定の長さ分剥がして導体２２２を露出させた導体露出部２２０の圧着接続を許容する圧着部１２０を備えた圧着端子１００であって、圧着部１２０を、断面中空形状で構成するとともに、圧着部１２０の長手方向Ｘにおいて基端部Ｘｂより先端側Ｘａを圧着部本体１２２に設定し、圧着部１２０の長手方向Ｘの少なくとも基端部に、圧着部本体１２２より内径が拡径した基端側拡径部１２３を形成したことを特徴とする。【選択図】図１
2014164885.tif 000002
【特許請求の範囲】
【請求項１】
導体を絶縁被覆で被覆した被覆電線における先端側の前記絶縁被覆を所定の長さ分剥がして前記導体を露出させた導体露出部の圧着接続を許容する圧着部を備えた圧着端子であって、
前記圧着部を、断面中空形状で構成するとともに、
前記圧着部の長手方向において基端部より先端側を圧着部本体に設定し、
前記圧着部の長手方向の少なくとも基端部に、前記圧着部本体より内径が拡径した基端側拡径部を形成した
圧着端子。
【請求項２】
前記基端側拡径部に、
溝、及び切り込みのうち少なくともいずれかを設けた
請求項１に記載の圧着端子。
【請求項３】
前記基端側拡径部の板厚を、前記圧着部本体の板厚よりも薄肉に設定した
請求項１又は２に記載の圧着端子。
【請求項４】
請求項１から３のうちいずれか一項に記載の圧着端子における、
前記圧着部と前記被覆電線の少なくとも前記導体露出部とを圧着接続した
接続構造体。
【請求項５】
請求項４に記載の接続構造体における前記圧着端子をコネクタハウジングに挿嵌した
コネクタ。
【請求項６】
請求項４に記載の接続構造体の製造方法であって、
前記被覆電線の少なくとも前記導体露出部と前記接続構造体とを圧着接続する際、
前記基端側拡径部の外径が、前記圧着部本体の最外径以下となるように前記圧着端子の前記基端側拡径部を縮径する
接続構造体の製造方法。
【発明の詳細な説明】
【技術分野】
【０００１】
この発明は、例えば自動車用ワイヤーハーネスのコネクタ等に装着されるような圧着端子、接続構造体、コネクタ、及び接続構造体の製造方法に関する。
【背景技術】
【０００２】
自動車等に装備された電装機器は、被覆電線を束ねたワイヤーハーネスを介して、別の電装機器や電源装置と接続して電気回路を構成している。この際、電装機器や電源装置とワイヤーハーネスとは、それぞれに装着したコネクタ同士で接続する。
【０００３】
これらコネクタは、被覆電線に圧着して接続した圧着端子が内部に装着されており、凹凸対応して接続される雌型コネクタと雄型コネクタとを嵌合させる構成である。  
ところで、このようなコネクタは、様々な環境下で使用されるため、コネクタ内部に水分が侵入すると、被覆電線の先端より露出している電線導体の表面が腐食するという問題がある。
【０００４】
そこで、圧着端子で圧着された電線導体への水分の侵入を防止する様々な技術が提案されている。  
例えば、特許文献１に開示の導体部材もこのような圧着端子のひとつである。
【０００５】
特許文献１に開示の導体部材は、他の部材に接続される接続面が設けられた基材である電線接続部と、該電線接続部に対して突出し、電線の先端部分を挿入して、圧着接続する締結部とよばれる圧着部とで構成されている。
【０００６】
前記圧着部は、電線の先端部を挿入可能な挿入空間を有する断面中空形状であり、突出方向の先端側、つまり、圧着端子の基端側が開口する筒状に形成している。このように構成された前記特許文献１の導体部材と被覆電線との接続は、圧着部の挿入空間に電線の先端側で露出する露出電線を挿入し、その状態で圧着部を加締めることで圧着接続することができる。
【０００７】
しかしながら、圧着接続後の止水性確保のため、挿入空間を有する圧着部は、挿入して圧着する被覆電線の最外周を構成する導体被覆の外径に対して、挿入を許容する程度、つまり導体被覆の外径のひとまわり大きい程度の内径で形成しており、圧着部への被覆電線の挿入が困難であった。
【先行技術文献】
【特許文献】
【０００８】
【特許文献１】特開２０１１−２３３２７３号公報
【発明の概要】
【発明が解決しようとする課題】
【０００９】
そこで、この発明は、圧着端子の圧着部に容易に被覆電線を挿入できるとともに、止水性、及び導通性の向上を図ることができる圧着端子、接続構造体、コネクタ、及び接続構造体の製造方法を提供することを目的とする。
【課題を解決するための手段】
【００１０】
この発明は、導体を絶縁被覆で被覆した被覆電線における先端側の前記絶縁被覆を所定の長さ分剥がして前記導体を露出させた導体露出部の圧着接続を許容する圧着部を備えた圧着端子であって、前記圧着部を、断面中空形状で構成するとともに、前記圧着部の長手方向において基端部より先端側を圧着部本体に設定し、前記圧着部の長手方向の少なくとも基端部に、前記圧着部本体より内径が拡径した基端側拡径部を形成したことを特徴とする。
【００１１】
上述の先端側は、被覆電線と圧着端子とを圧着接続した状態における、長手方向の圧着端子が配置される側とし、反対側を圧着端子において基端側としている。  
上述の基端側拡径部は、圧着部本体に対して、内径が拡径していれば、外径が同じ、拡径した外径、あるいは縮径した外径の基端側拡径部を含むものとする。  
さらに、上述の基端側拡径部は、圧着部本体と同じ板厚で構成する基端側拡径部、基端側に向かって板厚が徐々に薄くなる基端側拡径部を含む概念である。
【００１２】
この発明により、圧着端子の圧着部に被覆電線を容易に、且つ確実に挿入することができる。  
詳しくは、圧着部の基端側に基端側拡径部を形成することで、基端側拡径部がガイドとなり、圧着部へ被覆電線の導体露出部を容易に挿入でき、基端側拡径部からはみ出すことなく、導体露出部がきれいな状態で確実に圧着部本体へ挿入が可能となる。
【００１３】
このように、被覆電線を圧着端子に挿入する際、導体露出部が湾曲することなく、まっすぐな状態で圧着部に挿入することができる。これにより、圧着部と導体露出部とを圧着する際に、圧着部を導体露出部に対して、より密着した状態で圧着することができる。したがって、止水性、及び導通性を向上することができる。
【００１４】
この発明の態様として、前記基端側拡径部に、溝、及び切り込みのうち少なくともいずれかを設けることができる。  
なお、上記の溝、及び切り込みは、圧着端子の長手方向に沿った形状のみならず、周方向等のように長手方向に対して交差する方向の形状であることを含み、さらには、それら同士が等間隔で設けられたもの、基端側に向かって徐々に狭ピッチ化されたもの含むものとする。
【００１５】
また、長手方向に沿った溝や切り込みは、長手方向にその幅が一定、あるいは基端側に向かって広がるものを含むものとする。なお、溝については、基端側拡径部の外側、内側、あるいは両方に設けた溝とすることができる。
【００１６】
この発明により、圧着部を被覆電線とともに圧着しても、圧着後の基端側拡径部の外径を圧着部本体の最外径以下に形成することができる。  
詳しくは、基端側拡径部を有する圧着部と被覆電線とを圧着する際、圧着部本体とともに、被覆電線の導体露出部を、圧着部本体に容易に挿入するために形成した基端側拡径部も圧着部本体の最外径以下となるように縮径する。
【００１７】
このとき、圧着部本体部分に比べて内径が拡径された基端側拡径部分は縮径率が大きくなるため余肉ができ易く、圧着後の基端側拡径部の外径は、圧着部本体の最外径以下にならず、既存のコネクタハウジングのキャビティに圧着端子を挿嵌することができないおそれがある。
【００１８】
しかしながら、基端側拡径部に溝や切り込みを設定し、基端側拡径部の体積を削減、つまり、圧着する際の余肉の逃がし部分を形成することで、圧着後の基端側拡径部の外径を確実に圧着後の圧着部本体の最外径以下にすることができる。したがって、圧着端子は既存のコネクタハウジングに挿嵌可能な機能性を有することができる。
【００１９】
この発明の態様として、前記基端側拡径部の板厚を、圧着部本体の板厚よりも薄肉に設定することができる。  
この発明により、圧着部本体の断面中空形状を形成する手段として溶接、特にレーザー溶接を行う場合は、基端側拡径部の板厚を圧着部本体の板厚よりも薄肉に設定することで、圧着部の断面中空形状を形成する際に行うレーザー溶接を容易に行うことができる。
【００２０】
詳しくは、本明細書に記載の圧着端子は、端子基材の圧着部相当箇所を筒状に曲げた状態で、圧着部の周方向において対向する対向端部同士を圧着端子の長手方向に沿ってレーザー溶接を行うが、例えば、内径、及び外径が基端側に向かって徐々に拡径する基端側拡径部を備える圧着端子の場合には、圧着部の対向端部同士をレーザー溶接する際に、基端側拡径部の板厚を薄くすることで、基端側拡径部でレーザーの焦点位置がずれても確実に溶接することができる。
【００２１】
さらに、例えば、圧着部本体の外径と同一の外径で形成された基端側拡径部を備える圧着端子の場合には、基端側拡径部の板厚を薄く設定することで、低い溶接エネルギーで確実に溶接することができる。
【００２２】
また、板厚を薄くすることで、基端側拡径部の断面積は小さくなり、基端側拡径部の体積を削減することができる。つまり、基端側拡径部において、圧着する際の余肉の逃がし部分を形成できるとともに、塑性変形し易くなるため、上述の溝や切り込みと同様に、圧着後の基端側拡径部の外径を確実に圧着後の圧着部本体の最外径以下に縮径することができる。
【００２３】
また、この発明は、上記の圧着端子における、前記圧着部と前記被覆電線の少なくとも前記導体露出部とを圧着接続したことを特徴とする。  
この発明により、圧着端子への被覆電線の挿入が容易に、且つ確実に行え、また、圧着端子の圧着部と被覆電線の導体露出部とを確実に圧着し、止水性、及び導通性のよい接続構造体と、さらに、既存のコネクタハウジングのキャビティに挿嵌可能な接続構造体を提供することができる。
【００２４】
この発明は、上述の接続構造体における前記圧着端子をコネクタハウジングに配置したことを特徴とする。  
この発明により、コネクタハウジングのキャビティに上述の接続構造体を挿嵌した、止水性、及び導通性のよいコネクタを提供することができる。
【００２５】
この発明は、上述の接続構造体の製造方法であって、前記被覆電線の少なくとも前記導体露出部と前記接続構造体とを圧着接続する際、前記基端側拡径部の外径が、前記圧着部本体の最外径以下となるように前記圧着端子の前記基端側拡径部を縮径することを特徴とする。
【００２６】
この発明により、既存のコネクタハウジングのキャビティに挿嵌可能な接続構造体の製造方法を提供することができる。  
詳しくは、多数ある既存のコネクタハウジングのキャビティは幾つかの形状に決まっている。圧着端子への被覆電線の挿入を容易に、且つ確実に行えることを目的に基端側拡径部を形成したが、圧着状態で基端側拡径部の形状が残っていると、既存のコネクタハウジングのキャビティに接続構造体の圧着端子部分が挿嵌できないおそれがある。
【００２７】
このため、圧着後の基端側拡径部の外径が圧着部本体の最外径以下となるように成形することで、圧着端子への被覆電線の挿入を容易に、且つ確実に行えることともに、接続構造体を既存のコネクタハウジングのキャビティへ挿嵌することができる接続構造体を製造することができる。
【発明の効果】
【００２８】
この発明により、圧着端子の挿入孔に被覆電線の挿入を容易に行えることで作業効率の向上や、圧着端子の圧着部と被覆電線の導体露出部とを確実に圧着できることで止水性、及び導通性の向上を図ることができる圧着端子、接続構造体、コネクタ、及び接続構造体の製造方法を提供することができる。
【図面の簡単な説明】
【００２９】
【図１】雌型圧着端子、被覆電線、及び圧着端子付き電線の説明図。
【図２】図１中のＡ−Ａ矢視断面における雌型圧着端子の断面図。
【図３】ファイバーレーザー溶接を説明する説明図。
【図４】ファイバーレーザー溶接を説明する説明図。
【図５】圧着端子付き電線の製造方法を説明する説明図。
【図６】図１中のＢ−Ｂ矢視断面における圧着端子付き電線の断面図。
【図７】圧着端子付き電線がコネクタに挿嵌した状態の縦断面図。
【図８】他の実施形態の雌型圧着端子の作用説明図。
【図９】他の実施形態の基端側拡径部を説明する説明図。
【発明を実施するための形態】
【００３０】
この発明の一実施形態を以下図面と共に説明する。  
図１は、圧着端子付き電線１の説明図を示し、図２は、図１中のＡ−Ａ矢視断面における雌型圧着端子１００の断面図を示し、図３、及び図４は、圧着部１２０にファイバーレーザー溶接する様子を説明する説明図を示し、図５は、圧着端子付き電線１の製造方法を説明する説明図を示し、図６は、図１中のＢ−Ｂ矢視断面における雌型圧着端子１００と被覆電線２００の圧着状態の断面図を示し、図７は、圧着端子付き電線１がコネクタ４００のキャビティ４１０に挿嵌した状態の縦断面図を示している。
【００３１】
詳しくは、図１（ａ）は、雌型圧着端子１００、及び被覆電線２００の斜視図を示し、図１（ｂ）は、圧着後の圧着端子付き電線１の斜視図を示し、図３（ａ）は、長手方向Ｘにおけるファイバーレーザー溶接を施す雌型圧着端子１００の斜視図を示し、図３（ｂ）は、図３（ａ）中のＣ−Ｃ矢視断面における雌型圧着端子１００の断面図を示し、図４（ａ）は、幅方向Ｙにおけるファイバーレーザー溶接を施す雌型圧着端子１００の斜視図を示し、図４（ｂ）は、図４（ａ）中のＤ−Ｄ矢視断面における雌型圧着端子１００の断面図を示している。
【００３２】
さらに、図５（ａ）は、圧着部１２０と導体露出部２２０の圧着前の縦断面図を示し、図５（ｂ）は、圧着部１２０と導体露出部２２０の圧着後の縦断面図を示し、図５（ｃ）は、図５（ｂ）内のＥ−Ｅ矢視断面における圧着端子付き電線１の断面図を示している。
【００３３】
本実施形態の圧着端子付き電線１は、図１に示すように、被覆電線２００を雌型圧着端子１００に接続して構成している。  
なお、雌型圧着端子１００における長手方向Ｘに対して、圧着端子付き電線１における端子側を先端側Ｘａとし、その反対側、つまり、被覆電線２００側を基端側Ｘｂとする。  
被覆電線２００は、図１に示すように、アルミニウム素線２２１を束ねたアルミニウム導線２２２を、絶縁樹脂で構成する絶縁被覆２１０で被覆して構成している。
【００３４】
さらに、被覆電線２００の先端側Ｘａの電線先端部２００ａは、被覆電線２００の先端側Ｘａの絶縁被覆２１０を所定の長さ分剥いで露出させた導体露出部２２０と、絶縁被覆２１０の先端側Ｘａの絶縁被覆先端部２１１とで構成している。  
このように構成した電線先端部２００ａと圧着部１２０とを圧着接続することで、雌型圧着端子１００と被覆電線２００とを導通可能な圧着端子付き電線１を構成している。
【００３５】
雌型圧着端子１００は、図１、及び図２に示すように、雄型端子との挿嵌を許容するボックス部１１０と、被覆電線２００と圧着接続する圧着部１２０とを有するとともに、先端側Ｘａのボックス部１１０と基端側Ｘｂの圧着部１２０とを所定の長さのトランジション部１３０を介して配置している。
【００３６】
ボックス部１１０は、倒位の中空四角柱体で、長手方向Ｘの先端側Ｘａから見て略矩形状に形成しているとともに、圧着部１２０は、倒位の中空円柱体で、長手方向Ｘの基端側Ｘｂから見て略円形状に形成している。ここで、ボックス部１１０の底面における長手方向Ｘに対して面内で直交する方向を幅方向Ｙとする。
【００３７】
圧着部１２０は、長手方向Ｘにおいて、封止部１２１、圧着部本体１２２、及び基端側拡径部１２３とを先端側Ｘａから基端側Ｘｂに向かってこの順に配設するとともに、周方向全体において連続する連続形状で一体に形成している。
【００３８】
封止部１２１は、圧着部１２０において圧着部本体１２２より先端側Ｘａを略平板状に押し潰すように変形させて、雌型圧着端子１００を構成する板状の端子基材同士が重合する偏平形状で構成している。
【００３９】
圧着部本体１２２は、雌型圧着端子１００と被覆電線２００とを圧着接続する際に、挿入した被覆電線２００の導体露出部２２０と対応する導体圧着部１２２ａと、挿入した被覆電線２００の絶縁被覆先端部２１１と対応する被覆圧着部１２２ｂとで構成している。
【００４０】
基端側拡径部１２３は、図１（ａ）に示すように、圧着部本体１２２よりも外周部、及び内周部が大径となるように、徐々に拡径したラッパ状（末広がり状）に形成している。なお、圧着端子付き電線１において、被覆圧着部１２２ｂの最外径と圧着後の基端側拡径部１２３ｚの外径は、図１（ｂ）に示すように、略同径となるように縮径する。
【００４１】
このように構成した圧着部１２０は、基端側拡径部１２３から封止部１２１にかけて電線先端部２００ａの挿入を可能にするため基端側Ｘｂのみが開口するとともに、先端側Ｘａ、及び周面部全体が開口していない中空形状（筒状）であり、内部に電線先端部２００ａの挿入を許容する挿入空間１２０ａを有する。
【００４２】
また、ボックス部１１０と圧着部１２０を有する雌型圧着端子１００は、後述するように一枚の板材から形成しているため、ボックス部１１０、圧着部１２０、及びトランジション部１３０、さらに詳しくは、圧着部１２０を構成する導体圧着部１２１、被覆圧着部１２２、及び基端側拡径部１２３は同じ板厚で構成している。
【００４３】
なお、本実施形態では、上述したように、ボックス部１１０、圧着部１２０、及びトランジション部１３０とで雌型圧着端子１００を構成したが、圧着部１２０を有する圧着端子であれば、上述の雌型圧着端子１００におけるボックス部１１０に挿入接続する挿入タブ４２０（図７（ａ）参照）、圧着部１２０、及びトランジション部１３０とで構成する雄型圧着端子でも、圧着部１２０のみで構成し、複数本の被覆電線２００の導体露出部２２０を束ねて接続するための圧着端子であってもよい。
【００４４】
続いて、上述した雌型圧着端子１００の製造方法について説明する。  
雌型圧着端子１００は、図３、及び図４に示すように、レーザー照射装置Ｆｗを用いてファイバーレーザー溶接を行って圧着部１２０を形成する。
【００４５】
雌型圧着端子１００は、端子基材を、ボックス部１１０に相当する部分を先端視略正方形の中空四角柱体に曲げ加工するとともに、圧着部１２０に相当する部分を基端視略円形の中空円柱体に曲げ加工をし、雌型圧着端子１００の基端側Ｘｂに基端側拡径部１２３を形成した状態で、圧着部１２０を中空円柱体に保持するため、ファイバーレーザー溶接を施して形成する。
【００４６】
なお、雌型圧着端子１００に用いる端子基材は、板状の基材であり、表面が錫メッキ（Ｓｎメッキ）された黄銅等の銅合金条（図示せず）を、平面展開した端子形状に打ち抜いた板材であり、圧着前の圧着部１２０に相当する部分に、圧着面、及び該圧着面の幅方向Ｙの両側から延出した圧着部構成片を備えて形成している。
【００４７】
詳しくは、図３に示すように、雌型圧着端子１００は、端子基材を長手方向Ｘを中心軸とする周方向に丸めて対向端部１４０同士が上面側で突き合わさるようにして円筒状を構成する。そして、端子基材の対向する対向端部１４０同士を突き合わせた状態でレーザー照射装置Ｆｗを長手方向Ｘに沿ってスライドさせながら一対の対向する対向端部１４０同士を溶接することで長手方向溶接個所Ｗ１を形成する。
【００４８】
その後、図４に示すように、封止部１２１は、圧着部１２０において、圧着部本体１２２よりも先端側Ｘａを略平板状に押し潰すように変形させて、雌型圧着端子１００を構成する板状の端子基材同士が重合する偏平形状で構成している。  
さらに、封止部１２１の先端側Ｘａにおいて、レーザー照射装置Ｆｗを幅方向Ｙに沿ってスライドさせながら溶接することで幅方向溶接個所Ｗ２を形成する。
【００４９】
なお、圧着部１２０は、端子基材の対向する対向端部１４０同士を突き合わせた状態でレーザー照射装置Ｆｗを長手方向Ｘに沿ってスライドさせながら一対の対向する対向端部１４０同士を溶接しているが、対向端部１４０同士を突き合わせるだけでなく、対向端部１４０同士を重ね合わせて溶接してもよい。
【００５０】
続いて、上述した雌型圧着端子１００と被覆電線２００とを圧着接続して、圧着端子付き電線１を構成する圧着接続方法について説明する。  
圧着接続方法は、電線挿入工程と圧着工程とをこの順で行う。
【００５１】
まず、電線挿入工程において、被覆電線２００の電線先端部２００ａを、雌型圧着端子１００の圧着部１２０に挿入する。  
次に、圧着工程において、被覆電線２００の電線先端部２００ａと、雌型圧着端子１００の圧着部１２０とを、クリンパやアンビル等の圧着工具３００で圧着部１２０を挟むようにして圧着接続する。
【００５２】
詳しくは、図１（ａ）に示すように、被覆電線２００の電線先端部２００ａを、圧着部１２０の基端側拡径部１２３を通し、挿入空間１２０ａに挿入する。  
そして、図５に示すように、圧着工具３００の押圧上刃３１０（クリンパ）、及び押圧下刃３２０（アンビル）を、電線先端部２００ａを挿入した圧着部１２０の上下に対向するように配置し、圧着部１２０を挟むようにして、電線先端部２００ａと圧着部１２０とを圧着接続する。
【００５３】
このとき、図５（ｂ）に示すように、圧着後の基端側拡径部１２３ｚの外径が圧着後における被覆圧着部１２２の最外径以下となるようにする。つまり、図６に示すように、圧着後の基端側拡径部１２３ｚの外径と圧着後の被覆圧着部１２２ｂの外径とが略同一となるように形成する。
【００５４】
続いて、上述で構成した雌型圧着端子１００、及び圧着端子付き電線１の作用効果について説明する。  
雌型圧着端子１００の圧着部１２０に基端側拡径部１２３を備えることで、圧着部１２０の挿入空間１２０ａに被覆電線２００の電線先端部２００ａを容易に挿入することができる。
【００５５】
詳しくは、圧着部１２０の挿入空間１２０ａに被覆電線２００の電線先端部２００ａを挿入する際、基端側拡径部１２３が挿入空間１２０ａへのガイドとなり、導体露出部２２０を構成するアルミニウム素線２２１がバラけることなく、電線先端部２００ａを容易に圧着部１２０の挿入空間１２０ａに挿入することができる。したがって、電線挿入工程において、作業効率を向上することができる。
【００５６】
雌型圧着端子１００の圧着部１２０に基端側拡径部１２３を備えることで、圧着部１２０の挿入空間１２０ａに被覆電線２００の電線先端部２００ａを正確に挿入することができる。  
詳しくは、圧着部１２０の挿入空間１２０ａに被覆電線２００の電線先端部２００ａを挿入する際、基端側拡径部１２３が挿入空間１２０ａへのガイドとなり、導体露出部２２０は湾曲することなく、電線先端部２００ａをまっすぐな状態で正確に挿入空間１２０ａへ挿入することができるため、より密着した状態で、圧着することができる。したがって、圧着工程で形成した圧着端子付き電線１は、止水性、及び導通性を向上することができる。
【００５７】
さらに、圧着端子１００と被覆電線２００とを圧着する際、圧着後の基端側拡径部１２３ｚの外径が被覆圧着部１２２ｂの外径と略同一となるように圧着することで、圧着端子付き電線１を既存のコネクタ４００のキャビティ４１０に挿嵌することができる。
【００５８】
詳しくは、圧着工程において、圧着後の基端側拡径部１２３ｚの外径と圧着後の被覆圧着部１２２ｂの外径とを略同一となるように圧着することで、図７に示すように、基端側拡径部１２３がキャビティ４１０の端子挿入口４３０と干渉することなく、圧着端子付き電線１を既存のコネクタ４００のキャビティ４１０に挿嵌することができる。
【００５９】
したがって、雌型圧着端子１００は、雌型圧着端子１００と被覆電線２００とを圧着する際の作業効率の向上や、圧着端子付き電線１の止水性、及び導通性の向上が期待できるとともに、雌型圧着端子１００と被覆電線２００とで構成した圧着端子付き電線１を挿嵌した止水性、及び導通性のよいコネクタ４００を構成することができる。
【００６０】
この発明の構成と、上述の実施形態との対応において、
この発明の導体は、実施形態のアルミニウム導線２２２に対応し、
以下同様に、
圧着端子は、雌型圧着端子１００に対応し、
接続構造体は、圧着端子付き電線１に対応するが、
この発明は、上述の実施形態の構成のみに限定されるものではなく、多くの実施の形態を得ることができる。
【００６１】
以下、他の実施形態の雌型圧着端子１００Ｐ２について、図８を用いて説明する。  
図８は、板厚が徐々に薄くなっていく基端側拡径部１２３Ｐ２を備えた圧着部１２０Ｐ２に対して、ファイバーレーザー溶接する様子を説明する他の実施形態に係る雌型圧着端子１００Ｐ２の縦断面図を示している。  
基端側拡径部１２３Ｐ２は、図８に示すように、内径、及び外径を基端側Ｘｂに向かって徐々に拡径するとともに、板厚を基端側Ｘｂに向かって徐々に薄く形成している。
【００６２】
このような基端側拡径部１２３Ｐ２を備えた圧着部１２０Ｐ２は、基端側拡径部１２３Ｐ２の内径、及び外径が拡径しているため、圧着部１２０Ｐ２の対向端部１４０同士に対して、長手方向Ｘに沿ってファイバーレーザー溶接する際に、レーザー照射装置Ｆｗから照射するレーザーＬの焦点位置がずれるが、基端側拡径部１２３Ｐ２の板厚が薄いため、対向端部１４０同士を確実に溶接することができる。
【００６３】
さらに、基端側拡径部１２３Ｐ２の板厚を薄くすることで、本実施形態の板厚を薄くしない基端側拡径部１２３と比べて、基端側拡径部１２３Ｐ２の断面積は小さくなる。  
したがって、圧着工程において、圧着部１２０Ｐ２と電線先端部２００ａとを圧着接続する際に、基端側拡径部１２３Ｐ２は、塑性変形し易くなる、つまり、圧着部１２０Ｐ２を容易に縮径することができるため、基端側拡径部１２３Ｐ２を含めた圧着部１２０Ｐ２と電線先端部２００ａとをしっかり密着させることができるとともに、既存のコネクタ４００のキャビティ４１０に挿嵌できる雌型圧着端子１００Ｐ２を構成することができる。
【００６４】
また、本実施形態における圧着部１２０は、基端側拡径部１２３を圧着部本体１２２の外径に対して拡径した態様であったが、例えば、圧着部本体１２２の内径に対して基端側拡径部の内径が基端側Ｘｂに向かって徐々に拡径していれば、基端側拡径部の外径を圧着部本体１２２の外径と同じ外径で形成してもよいし、基端側拡径部の外径を圧着部本体１２２の外径より小径に形成してもよい。  
つまり、これら基端側拡径部の板厚は、基端側Ｘｂに向かって徐々に薄肉になるように形成することができる。
【００６５】
このように、基端側拡径部の板厚を、長手方向Ｘにおける基端側Ｘｂに向かって徐々に薄くなるように構成することで、本実施形態の同じ板厚の基端側拡径部１２３と同様に、圧着部の挿入空間１２０ａへ被覆電線２００の電線先端部２００ａの挿入が容易に、且つ確実に行うことができ、さらに、上述の基端側Ｘｂに向かって板厚を徐々に薄くした基端側拡径部１２３Ｐ２と同様に、ファイバーレーザー溶接を確実に行うことができる。
【００６６】
また、圧着部１２０は、基端側拡径部１２３を圧着部１２０の基端側Ｘｂに形成するだけに限らず、圧着部の先端側Ｘａから基端側Ｘｂに向かって内径、及び外径が徐々に拡径するように形成することもできる。
【００６７】
このように、圧着部が圧着部の先端側Ｘａから基端側Ｘｂに向かって内径、及び外径が徐々に拡径する場合も、本実施形態の同じ板厚の基端側拡径部１２３と同様に、圧着部の挿入空間１２０ａへ被覆電線２００の電線先端部２００ａの挿入を容易に、且つ確実に行うことができる。
【００６８】
また、他の実施形態として、図９（ａ）は、基端側拡径部１２３Ｐ３に溝部１２３ａを形成した雌型圧着端子１００Ｐ３を示し、図９（ｂ）は、基端側拡径部１２３Ｐ４に切り込み部１２３ｂを形成した雌型圧着端子１００Ｐ４を示している。
【００６９】
詳しくは、図９（ａ）に示すように、溝部１２３ａは、基端側拡径部１２３Ｐ３に対する周方向に所定の間隔で配置するとともに、長手方向Ｘに沿うように、基端側拡径部１２３Ｐ３の外側の面を厚み方向に凹ませて形成している。
【００７０】
さらに、図９（ｂ）に示すように、切り込み部１２３ｂは、基端側拡径部１２３Ｐ４に対する周方向に所定の間隔で配置するとともに、長手方向Ｘに沿うように、基端側拡径部１２３Ｐ４の長手方向Ｘにおいて基端側Ｘｂから先端側Ｘａに向かって徐々に幅が狭くなるＶ字に形成している。
【００７１】
これにより、基端側拡径部１２３Ｐ３に形成した溝部１２３ａ、又は基端側拡径部１２３Ｐ４に形成した切り込み部１２３ｂは、それぞれに対応する基端側拡径部１２３Ｐ３，１２３Ｐ４の周方向における余肉の逃がし部分として作用するため、基端側拡径部１２３Ｐ３，１２３Ｐ４は、圧着部１２０Ｐ３，１２０Ｐ４と、電線先端部２００ａとを圧着する際により縮径し易くなる。
【００７２】
さらに、上述で説明するように、溝部１２３ａ、及び切り込み部１２３ｂは、長手方向Ｘのみならず、周方向等のように長手方向Ｘに対して角度を付けて形成してもよいし、所定の間隔、又は幅に設定してもよい。
【００７３】
さらにまた、溝部１２３ａと切り込み部１２３ｂとを同じ圧着端子における基端側拡径部に形成してもよいし、溝部１２３ａは、基端側拡径部１２３Ｐ３の外面のみならず、内面や両面に形成してもよい。
【符号の説明】
【００７４】
１…圧着端子付き電線
１００，１００Ｐ２，１００Ｐ３，１００Ｐ４…雌型圧着端子
１１０…ボックス部
１２０，１２０Ｐ２，１２０Ｐ３，１００Ｐ４…圧着部
１２０ａ…挿入空間
１２１…封止部
１２２…圧着部本体
１２２ａ…導体圧着部
１２２ｂ…被覆圧着部
１２３，１２３Ｐ２，１２３Ｐ３，１００Ｐ４…基端側拡径部
１２３ａ…溝部
１２３ｂ…切り込み部
１２３ｚ…圧着後の基端側拡径部
１３０…トランジション部
１４０…対向端部
２００…被覆電線
２００ａ…電線先端部
２１０…絶縁被覆
２１１…絶縁被覆先端部
２２０…導体露出部
２２１…アルミニウム素線
２２２…アルミニウム導線
３００…圧着工具
３１０…押圧上刃
３２０…押圧下刃
４００…コネクタ
４１０…キャビティ
４２０…挿入タブ
４３０…端子挿入口
Ｘ…長手方向
Ｘａ…先端側
Ｘｂ…基端側
Ｙ…幅方向
Ｆｗ…レーザー照射装置
Ｌ…レーザー
Ｗ１…長手方向溶接箇所
Ｗ２…幅方向溶接個所
【図１】
2014164885.tif 000003
【図２】
2014164885.tif 000004
【図３】
2014164885.tif 000005
【図４】
2014164885.tif 000006
【図５】
2014164885.tif 000007
【図６】
2014164885.tif 000008
【図７】
2014164885.tif 000009
【図８】
2014164885.tif 000010
【図９】
2014164885.tif 000011